(57)【要約】 【課題】  対象商品の市場動向や店舗の地域の特性を考慮した適正な査定価格を提供できる。【解決手段】  本発明による査定価格算出装置１０は、商品の基本価格３２を格納する基本価格記憶部１０１と、入力された査定の対象となる商品を特定する基本情報２１に基づき、基本価格１を特定する基本価格特定部１２と、入力された前記対象となる商品における固有の現状を示す詳細情報２２に基づき、特定された基本価格１を修正して、基本査定価格３を算出する基本査定価格算出部１４と、商品の査定に影響を及ぼす市場動向及び地域特性に基づいて算出された補正価格４と基本査定価格３とから、対象となる商品の査定価格５を算出する査定価格算出部１７とを具備する。【選択図】  図１
2006309409.tif 000002
【特許請求の範囲】
【請求項１】
査定の対象となる商品の基本仕様情報から基本価格を算出し、前記商品の現状を示す詳細情報によって前記基本価格を修正して基本査定価格を算出する査定価格算出装置において、
前記商品の査定に影響を及ぼす市場動向に基づく補正値を前記商品とを対応付けて格納する補正値記憶部と、
前記商品に対応する補正値を前記補正値記憶部から抽出し、前記補正値を用いて補正価格を算出する補正価格算出部と、
前記商品に対応する前記基本査定価格を、前記補正価格で補正して、前記商品の査定価格を算出する査定価格算出部とを含む
査定価格算出装置。
【請求項２】
請求項１に記載の査定価格算出装置において、
前記補正値は、前記商品に対する競合商品に関する情報に基づく第１の補正値を含み、
前記補正値記憶部は、前記第１の補正値と前記商品とを対応付けて格納する第１の補正値記憶部を含み、
前記補正価格算出部は、前記商品に対応する前記第１の補正値を前記第１の補正値記憶部から抽出し、前記第１の補正値を用いて前記補正価格を算出する
査定価格算出装置。
【請求項３】
請求項２に記載の査定価格算出装置において、
前記商品に対応する競合商品に関する競合内容と前記商品とを対応付けて格納する競合情報記憶部と、
前記競合内容に対応する補正値を格納する補正値更新表記憶部と、
前記商品に対応する競合内容を前記競合情報記憶部から抽出し、前記抽出された競合内容に対応する補正値を前記補正値更新表記憶部から抽出し、前記抽出した補正値から前記第１の補正値を算出し、前記商品と対応付けて前記第１の補正値記憶部に格納する第１の補正値算出部とを更に備える
査定価格算出装置。
【請求項４】
請求項１から３いずれか１項に記載の査定価格算出装置において、
前記補正値は、前記商品を取り扱う地域の特性に基づく第２の補正値を含み、
前記補正値記憶部は、前記第２の補正値と前記商品と対応付けて格納する第２の補正値記憶部を含み、
前記補正価格算出部は、前記商品に対応する前記第２の補正値を前記第２の補正値記憶部から抽出し、前記第２の補正値を用いて前記補正価格を算出する
査定価格算出装置。
【請求項５】
請求項４に記載の査定価格算出装置において、
前記第２の補正値は、前記商品の査定を行う時期に対応付けられて前記第２の補正値記憶部に格納され、
前記補正価格算出部は、前記商品と、現在の時期に対応する前記第２の補正値を前記第２の補正値記憶部から抽出し、前記第２の補正値を用いて前記補正価格を算出する
査定価格算出装置。
【請求項６】
査定の対象となる商品の基本仕様情報から基本価格を算出し、前記商品の現状を示す詳細情報によって前記基本価格を修正して基本査定価格を算出する査定価格算出装置が、前記商品の査定に影響を及ぼす市場動向に基づく補正値と商品とが対応付けられて格納された補正値記憶部を参照して、前記商品に対応する補正値を前記補正値記憶部から抽出するステップと、
前記査定価格算出装置が、前記抽出した補正値に基づき補正価格を算出するステップと、
前記査定価格算出装置が、前記商品に対応する前記基本査定価格を前記補正価格によって補正して、前記商品の査定価格を算出するステップとを備える
査定価格算出方法。
【請求項７】
請求項６に記載の査定価格算出方法をコンピュータに実行させる
査定価格算出プログラム。
【発明の詳細な説明】
【技術分野】
【０００１】
本発明は、商品の査定価格を算出する査定価格算出装置、査定価格算出方法及び査定価格算出プログラムに関する。
【背景技術】
【０００２】
車両やパソコン、特に中古車両や中古パソコン等の製品価格は、販売店（買取店）のスタッフが対象となる製品の年式（製造年）やグレード（スペック）、デザイン等を評価して決定される。例えば、中古車の査定価格は、対象車両の基本的な特徴（年式、車種、グレード、外観等）や現状（総走行距離、外装・内装の状態、仕様等）を査定項目として評価され決定される。従来、自動車の査定価格の算出を行う際には、業者向けに発行された中古車の基準となる価格を表にした冊子を基に基本価格を算出し、走行距離等の現状を示す諸データによって修正して査定価格を決定している。この冊子や走行距離に応じた補正値を参照できれば容易に基本価格や査定価格を算出することができる。しかしながら、最終的な査定価格は、冊子には反映されていない市場動向の近況や、対象車両の販売店（買取店）のある地域の特性等の要素を考慮して決定される。このため、最終的な査定価格は、中古車市場の価格動向に詳しい専門のスタッフでなければ算出することができず、専門的な知識のないスタッフでは、適正な査定価格を提供できないという問題があった。
【０００３】
以下に、中古車を評価し、査定価格を算出する開示例が示される。
【０００４】
特開平０９−２５１４８６号公報には、メーカ名、車種、タイプ、初年度登録年月日、ミッション、グレード、ボディカラーに基づいて基本査定価格を決定し、総走行距離等の査定対象車の現況を示す諸データによって修正して適正なディーラ査定価格を算出する装置及び方法が開示されている（特許文献１参照）。
【０００５】
特開２００２−２５９７５３号公報には、メーカ名、車種、タイプ、グレード、年式、塗装色、外観状態等の査定項目データに基づいて基本評価価値を演算し、過去の整備状況データに基づいて、整備状況評価値を演算し、基本評価値と整備状況評価値とから価格評価演算を行う装置及び方法が開示されている（特許文献２参照）。
【０００６】
【特許文献１】特開平０９−２５１４８６号公報
【特許文献２】特開２００２−２５９７３５号公報
【発明の開示】
【発明が解決しようとする課題】
【０００７】
本発明の目的は、対象商品の市場動向や店舗の地域の特性を考慮した適正な査定価格を提供できる査定価格算出装置、査定価格算出方法及び査定価格算出プログラムを提供することにある。
【課題を解決するための手段】
【０００８】
以下に、［発明を実施するための最良の形態］で使用される番号・符号を括弧付きで用いて、［課題を解決するための手段］を説明する。この番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【０００９】
本発明による査定価格算出装置（１０）は、査定の対象となる商品の基本価格（１）を格納する基本価格記憶部（１０１）と、入力された査定の対象となる商品を特定する基本仕様情報である基本情報（２１）に基づき、基本価格（１）を特定する基本価格特定部（１２）と、入力された商品の固有の現状を示す詳細情報（２２）に基づき、特定された基本価格（１）を修正して、基本査定価格（３）を算出する基本査定価格算出部（１４）と、商品の査定に影響を及ぼす市場動向に基づく補正値（６３、７２）を商品とを対応付けて格納する補正値記憶部（１０６、１０７）と、商品に対応する補正値を補正値記憶部（１０６、１０７）から抽出し、この補正値を用いて補正価格（４）を算出する補正価格算出部（１６）と、査定の対象となる商品に対応する基本査定価格（３）を補正価格（４）で補正して、商品の査定価格（５）を算出する査定価格算出部（１７）とを具備する。
【００１０】
補正値は、好ましくは商品に対する競合商品に関する情報に基づく第１の補正値（７２）を含み、補正値記憶部は、第１の補正値（７２）と商品とを対応付けて格納する第１の補正値記憶部（１０７）を含む。補正価格算出部（１６）は、査定の対象となる商品に対応する第１の補正値（７２）を第１の補正記憶部（１０７）から抽出し、第１の補正値（７２）を用いて補正価格（４）を算出することが好ましい。又、商品に対応する競合商品に関する競合内容（８３）と商品とを対応付けて格納する競合情報記憶部（１０４）と、競合内容（８３）に対応する補正値（９２）を格納する補正値更新表記憶部（１０５）と、商品に対応する競合内容（８３）を競合情報記憶部（１０４）から抽出し、抽出された競合内容（８３）に対応する補正値（９２）を補正値更新表記憶部（１０５）から抽出し、抽出した補正値（９２）から第１の補正値（７２）を算出して第１の補正値記憶部（１０７）に格納する第１の補正値算出部（１５）とを更に備える。このため、第１の補正値（７２）は、商品の市場動向（競合商品の動向）に応じて算出されるため、市場動向の変化に対応した補正を基本査定価格（３）に対し実施でき、適正な査定価格（５）を算出することができる。
【００１１】
又、補正値は、商品を取り扱う地域の特性に基づく第２の補正値（６３）を含み、補正値記憶部は、第２の補正値（６３）と商品と対応付けて格納する第２の補正値記憶部（１０６）を含む。補正価格算出部（１６）は、商品に対応する第２の補正値（６３）を第２の補正値記憶部（１０６）から抽出し、第２の補正値（６３）を用いて補正価格（４）を算出する。この際、第２の補正値（６３）は、商品の査定を行う時期に対応付けられて第２の補正値記憶部（１０６）に格納されるのが好ましい。補正価格算出部（１６）は、査定の対象となる商品と、現在の時期に対応する第２の補正値（６３）を第２の補正値記憶部（１０６）から抽出し、第２の補正値（６３）を用いて補正価格（４）を算出する。
【００１２】
以上のように、本発明による査定価格算出装置は、査定対象となる商品に関する各種情報が入力されることで、市場動向を反映させた商品の査定価格を算出し提供することができる。
【発明の効果】
【００１３】
本発明による査定価格算出装置、査定価格算出方法及び査定価格算出プログラムによれば、対象商品の市場動向や店舗の地域の特性を考慮した適正な査定価格を提供できる。
【発明を実施するための最良の形態】
【００１４】
以下、添付図面を参照して、本発明による査定価格算出装置、査定価格算出方法及び査定価格算出プログラムの実施の形態が説明される。本発明による査定価格算出装置は、好適には中古車販売店（買取店）で利用され、対象車両の査定価格５を算出する。
【００１５】
（構成）
図１は、本発明による査定価格算出装置１０の構成図である。本発明による査定価格算出装置１０は、ＣＰＵやメモリやハードディスク等の記憶装置を備えるコンピュータ装置であり、ＰＣやＰＤＡが好適である。査定価格算出装置１０は、マウスやキーボード等の入力装置を備える車両情報入力部１１と、記憶装置に格納されＣＰＵによって実行される査定価格算出プログラムである基本価格特定部１２、評価値算出部１３、基本査定価格算出部１４、クラス別補正値算出部１５、補正価格算出部１６、査定価格算出部１７と、モニタやプリンタ等の出力装置を備える査定価格出力部１８とを具備する。又、記憶装置は各種データベースを具備し、各種データベースは、基本価格記憶部１０１、基準走行距離記憶部１０２、評価値記憶部１０３、競合車情報記憶部１０４、補正値更新表記憶部１０５、地域別補正値記憶部１０６、クラス別補正値記憶部１０７を備える。この各種データベースは、査定価格算出装置１０内の記憶装置にあっても、査定価格算出装置１０にネットワークや通信回線を介して接続されるサーバ等の外部装置内の記憶装置にあっても構わない。この各種データベースが外部サーバ内にある場合、各種データベース内の各種データは他の査定価格算出装置１０と共有的に使用することができる。
【００１６】
車両情報入力部１１は、中古車販売店のスタッフや顧客によって操作され、査定の対象となる車両の車両情報２００が入力される。図２は、車両情報入力部１１に入力される車両情報２００の一例である。入力される車両情報２００は対象車両を特定するための基本的な特徴を示す基本情報２１と、対象車両の固有情報である詳細情報２２とが好適である。例えば、基本情報２１として、対象車両のメーカ名、車両タイプ、車種、グレード、型式、駆動方式、年式、色等の車両を特定する情報が入力される。詳細情報２２は、車検の満了日、総走行距離や、外装・内装の状態に対する評価、対象車両の付属品の有無の情報が好適である。例えば、詳細情報として、対象車両の車検満了日、走行距離が入力され、外装評価項目（ボディの破損や塗装状況等）、内装評価項目（シートの破損、電装状態、室内の臭い等）、特別仕様評価項目（アルミホイール、カーナビ、オーディオ機器等）の各項目毎に評価「Ａ〜Ｄ」が入力される。車両情報２００として入力される情報や評価は、キーモード等を用いて直接入力されても、表示装置に表示される各種情報から選択的に入力されても良い。
【００１７】
図３は、本発明に係る基本価格記憶部１０１の構成図である。基本価格記憶部１０１には、車両毎に対応する基本価格３２が登録される。基本価格３２は、車両を特定するための基本情報３１に対応付けられて基本価格記憶部１０１に格納される。基本情報３１は、車両を特定するための基本的な特徴を示す情報であり、例えば、車両のメーカ名、車両タイプ、車種、グレード、型式、駆動方式、排気量、年式、色等の情報である。基本価格記憶部１０１内の基本価格３２は、ある一定期間（例えば１ヶ月）毎に市場価格を考慮して更新されることが好ましい。又、基本価格記憶部１０１の内容は、業者向けに発行された中古車の基準となる価格を表にした冊子の内容であることが好ましく、この冊子の更新にあわせて、基本価格記憶部１０１が更新されることが好ましい。
【００１８】
図４（ａ）は、本発明に係る基準走行距離記憶部１０２の構成図である。基準走行距離記憶部１０２には、車両毎の基準となる走行距離として基準走行距離４２が登録される。基準走行距離４２は、車両を特定するための基本情報４１に対応付けられて基準走行距離記憶部１０２に格納される。基本情報４１は、車両を特定するための基本的な特徴を示す情報であり、基本情報３１と同じ内容が好ましい。
【００１９】
図４（ｂ）は、本発明に係る評価値記憶部１０３の構成図である。評価値記憶部１０３には、詳細情報２２の各評価項目に入力される評価に割り当てられた、査定車両の基本価格１を補正するための評価値５３が格納される。評価値記憶部１０３には、詳細情報２２の各種評価項目に対応する評価項目５１（例えば、ボディの破損、ボディの塗装、室内の臭い等）と、車両情報入力部１１から詳細情報２２の各種評価項目に入力される評価に対応する評価５２（例えばＡ、Ｂ、Ｃ等）と、評価値５３とが対応付けられて格納される。
【００２０】
図５（ａ）は、本発明に係る地域別補正値１０６の構成図である。地域別補正値記憶部１０６には、車両のタイプや車両の駆動方式等を含む対象車両情報６１に対し、地域情報６２毎に割り当てられた地域別補正値６３が格納される。この際、地域別補正値６３は、時期毎に設定されるのが好ましい。地域別補正値６３は、例えば、雪の積もる地域、悪路の多い地域では駆動方式が４ＷＤの車両に＋の補正値が与えられ、反対に雪や悪路の心配のない地域では駆動方式が４ＷＤの車両に−の補正値が与えられる。又、冬場では４ＷＤの車両の＋の補正値は増大し、ＦＦの車両の−の補正値は増大する。
【００２１】
図５（ｂ）は、本発明に係るクラス別補正値記憶部１０７の構成図である。クラス別補正値記憶部１０７には、クラス別補正値算出部１５によって算出されたクラス別補正値７２が、車両のタイプや車両の排気量等を含むクラス情報７１に対応付けられて格納される。このクラス別補正値７２は、市場価格である基本価格３２が更新されてから次の更新が行われる間の競合車の市場動向によって変化する値である。
【００２２】
図６（ａ）は、本発明に係る競合車情報記憶部１０４の構成図である。競合車情報記憶部１０４には、車両のタイプや車両の排気量等を含むクラス情報８１が同じ車両である競合車８２と、その競合車８２の競合内容８３とが対応付けられて登録される。競合内容８３とは各クラスの車両の査定価格に影響を与える情報であり、例えば、発売済・未発売、製品発表の有無、フルモデルチェンジ（ＦＭＣ）やマイナーチェンジ（ＭＭＣ）を実施したか等の、現時点における競合車８２の市場動向の情報が好適である。競合車の製品発表や発売、ＦＭＣやＭＭＣ等があった場合、該当する競合車８２の競合内容８３は更新される。更に、競合車情報記憶部１０４内の情報は、基本価格３２が更新されると、全てリセットされる。
【００２３】
図６（ｂ）は、本発明による補正値更新表記憶部１０５の構成図である。補正値更新表記憶部１０５には、競合車の価格に影響を与える競合内容９１と補正値９２とが関連付けられて格納される。競合内容９１は、競合内容８３に対応している。尚、競合内容９１及び補正値９２は、車両のタイプやクラス毎に対応付けられてもよい。
【００２４】
基本価格特定部１２は、車両情報入力部１１から入力された基本情報２００を用いて査定対象となる車両の基本価格１を特定する。
【００２５】
評価値算出部１３は、車両情報入力部１１から入力された詳細情報２２と、評価値記憶部１０３内の評価値５３と、基準走行距離記憶部１０２内の基準走行距離４２とを用いて査定対象車両の評価値２を算出する。
【００２６】
基本査定価格算出部１４は、基本価格特定部によって特定された基本価格１と、評価値算出部１３によって算出された評価値２とから査定対象車両の基本査定価格３を算出する。
【００２７】
クラス別補正値算出部１５は、競合車情報記憶部１０４に格納されたクラス情報８１に対応する競合内容８３を参照して、補正値更新表記憶部１０５から補正値９２を抽出し、クラス別補正値７２を算出し、クラス情報７１と対応付けてクラス別補正値記憶部１０７に格納する。
【００２８】
補正価格算出部１６は、車両情報入力部１１から入力された基本情報２１のタイプ及び駆動方式と、販売店（買取店）の位置する地域とに対応する地域別補正値６３を地域別補正値記憶部１０６から抽出し、基本情報２１のタイプと排気量に対応するクラス別補正値７２をクラス別補正値記憶部１０７から抽出する。又、補正価格算出部１６は、抽出した地域別補正値６３とクラス別補正値７２との和をとって、所定の価格との演算により査定対象車両の補正価格４を算出する。この際、販売店の位置する地域情報は、店舗情報１０８として車両情報入力部１１から入力されても、予め査定価格算出装置１０毎に登録されていてもよい。店舗情報１０８は、当該店舗とその位置する地域が対応付けられている。
【００２９】
査定価格算出部１７は、補正価格算出部１６により算出された補正価格４を用いて、基本査定価格算出部１４により算出された基本査定価格３を補正して査定対象となる車両の査定価格５を算出する。査定価格出力部１８は、査定価格算出部１７で算出された査定価格５を表示あるいは印字する。
【００３０】
（動作）
図１から図７を参照して、本発明による査定価格算出装置１０の査定価格算出処理の動作が説明される。以下、店舗スタッフが査定価格算出装置１０を用いて、顧客から依頼のあった車両（対象車両）の査定を行い、査定価格５を提示することを一例に査定価格算出装置１０の査定価格算出処理の動作が説明される。
【００３１】
図７は、本発明による査定価格算出装置１０の査定価格算出処理の動作フロー図である。
店舗スタッフは、査定の対象車両に関する車両情報２００を、車両情報入力部を操作して入力する（ステップＳ１）。又、この際、店舗情報１０８（例えば、店舗名「店舗Ａ」、地域情報「関東・東海・関西」）と、査定時期「４月」も同時に入力する。入力される車両情報２００は、基本情報２１及び詳細情報２２である。例えば、基本情報２１として、対象車両のメーカ名「Ｈ社」、車両タイプ「マルチワゴン」、車種「Ｃ」、グレード「Ｔ１」、型式「Ａ−ＢＣ２」、駆動方式「４ＷＤ」、年式「２０００後」が入力される。又、例えば、詳細情報として、対象車両の車検満了日「２００５年４月」、走行距離「１４０００ｋｍ」が入力され、外装評価項目、内装評価項目、特別仕様評価項目内の各項目毎に評価「Ａ〜Ｄ」が入力される。例えば、評価項目「ボディの破損」に評価「Ａ」、評価項目「ボディの塗装」に評価「Ｃ」が入力される。
【００３２】
基本価格特定部１２は、車両情報入力部１１から入力された基本情報２００と一致する基本情報３１に対応する基本価格３２を基本価格記憶部１０１から抽出し、基本価格１として基本査定価格算出部１４に送る（ステップＳ２）。図３を参照して、例えば基本価格３２「２９０万円」が抽出され、基本査定価格算出部１４に送られる。
【００３３】
図４（ｂ）を参照して、評価値算出部１３は、車両情報入力部１１から詳細情報２２の各評価項目に対して入力された評価に対応する評価値５３を評価値記憶部１０３から抽出する。例えば、ボディの破損「Ｂ］に対応する評価値５３「０」とボディの塗装「Ｃ」に対応する評価値５３「−３」が抽出される。又、図４（ａ）を参照して、評価値算出部１３は入力された基本情報２１に一致する基本情報４１に対応する基準走行距離４２（例えば「１００００ｋｍ」）を基準走行距離記憶部１０２から抽出し、詳細情報２２に入力された走行距離との差（例えば「４０００ｋｍ」）を算出し、図示しない評価基準（例えば、走行距離差「−５０００〜０」は評価「Ａ」「０〜＋５０００」は評価「Ｂ」）により評価５２「Ｂ」を決定し、評価項目５１が走行距離である評価値５３（例えば「０」）を評価値記憶部１０３から抽出する。尚、走行距離の評価値については上記の評価基準がなく、入力された対象車両の走行距離が基準走行距離４２より大きいか小さいかで所定の評価値を設定してもよい。評価値算出部１３は、抽出した評価値５３の和を評価値２として算出し、基本査定価格算出部１４に送る（ステップＳ３）。ここでは、評価値「０」＋評価値「−３」＋評価値「０」＝評価値「−３」として評価値２「−３」が算出される。
【００３４】
基本査定価格算出部１４は、基本価格特定部によって特定された基本価格１と、評価値算出部１３によって算出された評価値２とから基本査定価格３を算出する（ステップＳ４）。例えば、評価値２「１」ポイントにつき１０００円が基本価格１に加算され基本査定価格３とされる。この場合、評価値２「−３」×「１０００円」＝−３０００円が、基本価格１「２９０万円」に加算され、基本査定価格３は、「２８９万７千円」となる。あるいは、評価値２「１」ポイントにつき基本価格１の１％が基本価格１に加算され基本査定価格３とされる。この場合、基本価格１「２９０万」×（評価値２「−３」×０．０１＋１）＝基本査定価格３「２８１万３千円」となる。
【００３５】
図５を参照して、補正価格算出部１６は、入力された基本情報２１に基づき、地域別補正値６３とクラス別補正値７２を特定し、補正価格４を算出する（ステップＳ５）。例えば、車両情報入力部１１から入力された車両タイプ「マルチワゴン」及び駆動方式「４ＷＤ」と、販売店（買取店）の位置する地域情報「関東・東海・関西」と、査定時期「４月」とに対応する地域別補正値６３「−３」を地域別補正値記憶部１０６から抽出する。又、車両情報入力部１１から入力された車両タイプ「マルチワゴン」と排気量「１．５ｌ」に対応するクラス別補正値７２「−３０」を抽出する。補正価格算出部１６は、抽出した地域別補正値６３「−３」とクラス別補正値７２「−３０」との和をとり、所定の金額を乗算して補正価格４を算出する。例えば各補正値１ポイントにつき１０００円とすると、（地域別補正値６３「−３」＋クラス別補正値７２「−３０」）×「１０００円」＝補正価格４「−３３０００円」となる。
【００３６】
ここで、図６を参照して、クラス別補正値算出部１５は、競合車情報記憶部１０４に格納された競合車情報に基づいて、補正値更新表記憶部１０５から補正値９２をクラス別補正値として抽出する。例えば、タイプ「マルチワゴン」排気量「１．３〜１．５ｌ」に対応する競合車８２「Ａ」及び「Ｂ」の競合内容８３「ＦＭＣ」及び「発売」に一致する競合内容９１が参照され、補正値９２「−１０」及び「−２０」が抽出され、その和「−３０」がクラス別補正値７２としてクラス別補正値記憶部１０７に格納される。
【００３７】
査定価格算出部１７は、基本査定価格算出部１４により算出された基本査定価格３と補正価格算出部１６により算出された補正価格４との和をとり査定価格５を算出する（ステップＳ６）。例えば、基本査定価格算出部１４により算出された基本査定価格３「２８９万７千円」に補正価格算出部１６により算出された補正価格４「−３３０００円」を加えて査定価格５「２８６万４千円」を算出し査定価格出力部１８に出力する。査定価格出力部１８は、査定価格算出部１７で算出された査定価格５を「２８６万４千円」を車両情報入力装置１１から入力された車両情報２００とともに表示あるいは印字する（ステップＳ７）。
【００３８】
以上のように、本発明による査定価格算出装置１０によれば、業者向けに発表される中古車の基準となる基本価格が更新されるまでに変化する、車両毎の特性や販売店（買取店）の地域の特性に応じた市場動向を考慮して、対象車両の適正価格を査定することができる。又、市場動向に基づく補正をデータベース化し自動で査定を実施できるため、専門の知識を必要とせずに誰でも適正な査定価格５を提供することができる。
【００３９】
以上、本発明の実施の形態を詳述してきたが、具体的な構成は上記実施の形態に限られるものではなく、本発明の要旨を逸脱しない範囲の変更があっても本発明に含まれる。本実施の形態における車両情報入力部１１及び査定価格出力部１８は、査定価格算出装置１０が備える構成であるが、査定価格算出装置と通信回線やネットワークを介して接続される他のコンピュータ装置や無線回線を介して接続される端末携帯電話やＰＤＡのような携帯端末装置でもよい。この際、査定価格算出装置１０には、車両情報入力部１１及び査定価格出力部１８を備える端末装置に接続し、各種データの送受信を実行する通信インターフェースが設けられる。このような構成により、遠隔地にいるユーザは、この端末装置を操作して査定価格算出装置１０を利用することで容易に車両の査定を実施できる。
【図面の簡単な説明】
【００４０】
【図１】図１は、本発明による査定価格算出装置の構成図である。
【図２】図２は、本発明に係る車両情報入力部に入力される車両情報の一例である。
【図３】図３は、本発明に係る基本価格記憶部の実施の形態における構成図である。
【図４】図４（ａ）は、本発明に係る基準走行距離記憶部の実施の形態における構成図である。  図４（ｂ）は、本発明に係る評価値記憶部の実施の形態における構成図である。
【図５】図５（ａ）は、本発明に係る地域別補正値１０６の構成図である。  図５（ｂ）は、本発明に係るクラス別補正値記憶部１０７の構成図である。
【図６】図６（ａ）は、本発明に係る競合車情報記憶部１０４の構成図である。  図６（ｂ）は、本発明による補正値更新表記憶部１０５の構成図である。
【図７】図７は、本発明による査定価格算出装置の実施の形態における査定価格算出処理の動作フロー図である。
【符号の説明】
【００４１】
１：基本価格
２：評価値
３：基本査定価格
４：補正価格
５：査定価格
１０：査定価格算出装置
１１：車両情報入力部
１２：基本価格特定部
１３：評価値算出部
１４：基本査定価格算出部
１５：クラス別補正値算出部
１６：補正価格算出部
１７：査定価格算出部
１８：査定価格出力部
１０１：基本価格記憶部
１０２：基準走行距離記憶部
１０３：評価記憶部
１０４：競合車記憶部
１０５：補正値更新表記憶部
１０６：地域補正値記憶部
１０７：クラス別補正値記憶部
１０８：店舗情報
【図１】
2006309409.tif 000003
【図２】
2006309409.tif 000004
【図３】
2006309409.tif 000005
【図４】
2006309409.tif 000006
【図５】
2006309409.tif 000007
【図６】
2006309409.tif 000008
【図７】
2006309409.tif 000009